(57)【要約】【課題】要求する電力の異なる複数の受電装置に同時に給電を行う場合にも、適切に電力の大きさを設定することが可能な給電装置を提供する。【解決手段】この給電装置１００は、電源部２と、１次巻線３２ａ〜３２ｃと、１次巻線３２ａ〜３２ｃに対応するように設けられている２次巻線３３ａ〜３３ｃとを含む電力分配部３と、給電アンテナ部４ａ〜４ｃとを備え、１次巻線３２ａ〜３２ｃは、互いに巻き数（Ｔ１〜Ｔ３）が異なる巻線（３２ａ〜３２ｃ）を含む。【選択図】図２
2017046417.tif 000002
【特許請求の範囲】
【請求項１】
電源部と、
前記電源部に直列に接続された複数の１次巻線と、前記複数の１次巻線に対応する複数の２次巻線とを含み、前記電源部からの電力を前記複数の２次巻線のそれぞれに分配する電力分配部と、
前記複数の２次巻線のそれぞれに接続された複数の給電アンテナ部とを備え、
前記複数の１次巻線または前記複数の２次巻線のうちのいずれか一方の巻線は、互いに巻き数が異なる巻線を含む、給電装置。
【請求項２】
前記電力分配部は、前記複数の１次巻線のうちの少なくとも２つの前記巻き数が異なる状態で、前記複数の給電アンテナ部に前記電力を分配するように構成されている、請求項１に記載の給電装置。
【請求項３】
前記電力分配部は、前記複数の１次巻線と前記複数の２次巻線とのうちの少なくとも１つの前記巻き数を変更する巻き数変更部を含む、請求項１または２に記載の給電装置。
【請求項４】
前記外部受電装置と通信する通信部と、
前記通信部を介して、前記外部受電装置から受電に関する情報を取得して、取得した前記受電に関する情報に基づいて、前記巻き数変更部を制御する制御部とをさらに備える、請求項３に記載の給電装置。
【請求項５】
前記受電に関する情報は、前記外部受電装置の受電電圧値と、前記外部受電装置の要求電圧値とを含み、
前記制御部は、前記複数の１次巻線および前記複数の２次巻線のうち、前記受電電圧値が前記要求電圧値を超える前記外部受電装置に前記電力を供給する前記給電アンテナ部に対応する前記複数の１次巻線または前記複数の２次巻線の少なくとも一方の前記巻き数を、前記巻き数変更部により小さくして、前記受電電圧値が前記要求電圧値を超える前記外部受電装置の前記受電電圧値を小さくする制御を行うように構成されている、請求項４に記載の給電装置。
【請求項６】
前記制御部は、前記複数の１次巻線および前記複数の２次巻線のうち、前記要求電圧値から前記受電電圧値を差分した値が最も大きい前記外部受電装置に前記電力を供給する前記給電アンテナ部に対応する前記複数の１次巻線または前記複数の２次巻線の少なくとも一方の前記巻き数を、前記巻き数変更部により大きくして、前記要求電圧値から前記受電電圧値を差分した値が最も大きい前記外部受電装置の前記受電電圧値を大きくする制御を行うように構成されている、請求項５に記載の給電装置。
【請求項７】
前記制御部は、取得した複数の前記受電電圧値の合計値が、取得した複数の前記要求電圧値の合計値に略等しくなる状態で、前記巻き数変更部を制御するように構成されている、請求項４〜６のいずれか１項に記載の給電装置。
【請求項８】
前記制御部は、前記複数の１次巻線のインピーダンスの合計値を略一定に保った状態で、前記巻き数変更部を制御するように構成されている、請求項４〜７のいずれか１項に記載の給電装置。
【請求項９】
前記電力分配部は、前記複数の１次巻線のそれぞれの前記１次巻線、および、前記複数の２次巻線のそれぞれの前記２次巻線のうちの少なくとも一方を短絡して、対応する前記給電アンテナ部に前記電力の供給を停止することが可能な複数のスイッチ部を含み、
前記制御部は、短絡させた前記スイッチ部と、前記スイッチ部が短絡中に受電が停止された前記外部受電装置とを対応付けるとともに、前記スイッチ部と前記外部受電装置との対応関係と前記受電に関する情報とに基づいて、前記巻き数変更部を制御するように構成されている、請求項４〜８のいずれか１項に記載の給電装置。
【請求項１０】
前記制御部は、前記外部受電装置に前記電力を供給する際に、前記複数のスイッチ部のうち、対応する前記外部受電装置を有しない前記スイッチ部を短絡する制御を行うように構成されている、請求項９に記載の給電装置。
【請求項１１】
前記受電に関する情報は、前記外部受電装置の要求電圧値とを含み、
前記電力分配部は、前記複数の１次巻線のそれぞれの電圧値を検出する巻線電圧検出部を含み、
前記制御部は、前記巻線電圧検出部の検出結果と前記要求電圧値とに基づいて、前記１次巻線と前記外部受電装置とを対応付けるとともに、前記１次巻線と前記外部受電装置との対応関係と前記受電に関する情報とに基づいて、前記巻き数変更部を制御するように構成されている、請求項４〜８のいずれか１項に記載の給電装置。
【発明の詳細な説明】
【技術分野】
【０００１】
この発明は、給電装置に関し、特に、複数の給電アンテナ部を備える給電装置に関する。
【背景技術】
【０００２】
従来、複数の給電アンテナ部を備える給電装置が知られている（たとえば、特許文献１参照）。
【０００３】
上記特許文献１には、複数の１次コイルを備える給電装置が開示されている。この給電装置には、給電部本体と、分配器と、複数の１次コイルとを含む。給電部本体は、分配器により電力を分配して、複数の１次コイルに電力を供給するように構成されている。そして、複数の１次コイルは、それぞれ略等しい強さの誘導磁界を発生するように構成されている。これにより、上記特許文献１の給電装置は、複数の１次コイルの近傍に載置され、誘導磁界と結合する２次コイルを有する複数の携帯端末に、それぞれ電力を供給するように構成されている。
【先行技術文献】
【特許文献】
【０００４】
【特許文献１】特開２０１１―１２５１５５号公報
【発明の概要】
【発明が解決しようとする課題】
【０００５】
しかしながら、上記特許文献１の給電装置では、複数の１次コイルから放射される磁界の強さは、それぞれ略等しい強さになるため、給電される電力の大きさが略等しくなると考えられる。このため、上記特許文献１の給電装置では、比較的大きな電力を要求する携帯端末と、比較的小さな電力を要求する携帯端末とに同時に給電を行う場合には、それぞれの携帯端末に適した電力を供給することが困難であると考えられる。すなわち、上記特許文献１の給電装置では、比較的大きな電力を要求する携帯端末に対応するように電力の大きさ（給電電圧値）を設定した場合には、比較的小さな給電電圧値を要求する携帯端末にとって、過度に大きい電力が供給されることになり、携帯端末の破損の原因になる場合があると考えられる。一方、比較的小さな電力を要求する携帯端末に対応するように電力の大きさ（給電電圧値）を設定した場合には、比較的大きな電力を要求する携帯端末にとって、過度に小さい電力が供給されることになり、受電することができない場合があると考えられる。したがって、上記特許文献１の給電装置では、複数の携帯端末（受電装置）に同時に給電を行う場合に、適切に電力の大きさを設定することが困難であるという問題点があると考えられる。
【０００６】
この発明は、上記のような課題を解決するためになされたものであり、この発明の１つの目的は、要求する電力の異なる複数の受電装置に同時に給電を行う場合にも、適切に電力の大きさを設定することが可能な給電装置を提供することである。
【課題を解決するための手段】
【０００７】
上記目的を達成するために、この発明の一の局面による給電装置は、電源部と、電源部に直列に接続された複数の１次巻線と、複数の１次巻線に対応する複数の２次巻線とを含み、電源部からの電力を複数の２次巻線のそれぞれに分配する電力分配部と、複数の２次巻線のそれぞれに接続された複数の給電アンテナ部とを備え、複数の１次巻線または複数の２次巻線のうちのいずれか一方の巻線は、互いに巻き数が異なる巻線を含む。
【０００８】
上記目的を達成するために、この発明の一の局面による給電装置では、上記のように、複数の１次巻線または複数の２次巻線のうちのいずれか一方の巻線に、互いに巻き数が異なる巻線を設ける。これにより、比較的大きな巻き数を有する１次巻線（２次巻線）に対応する給電アンテナ部からは比較的大きな電力を供給することができるとともに、比較的小さな巻き数を有する１次巻線（２次巻線）に対応する給電アンテナ部からは比較的小さな電力を供給することができる。したがって、比較的小さな電力を供給する給電アンテナ部の近傍に、比較的小さな電力を要求する外部受電装置を配置して、比較的大きな電力を供給する給電アンテナ部の近傍に、比較的大きな電力を要求する外部受電装置を配置することにより、比較的小さな電力を要求する外部受電装置および比較的大きな電力を要求する外部受電装置の両方に適した電力を供給することができる。その結果、比較的小さな電力を要求する外部受電装置と比較的大きな電力を要求する外部受電装置とを含む複数の外部受電装置に同時に給電を行う場合にも、適切に電力の大きさを設定することができる。
【０００９】
上記一の局面による給電装置では、好ましくは、電力分配部は、複数の１次巻線のうちの少なくとも２つの巻き数が異なる状態で、複数の給電アンテナ部に電力を分配するように構成されている。このように構成すれば、複数の２次巻線のうちの少なくとも２つの巻き数のみ（２次巻線のみ）を異なるように構成する場合と異なり、複数の２次巻線の各々と給電アンテナ部との間のインピーダンスが略等しくなるので、複数の２次巻線と複数の給電アンテナ部との間に設けられるケーブルとして、同一の特性インピーダンスを有するケーブルを用いることができる。
【００１０】
上記一の局面による給電装置では、好ましくは、電力分配部は、複数の１次巻線と複数の２次巻線とのうちの少なくとも１つの巻き数を変更する巻き数変更部を含む。このように構成すれば、外部受電装置が要求する電力の大きさに合わせて、巻き数変更部により、複数の１次巻線の巻き数および複数の２次巻線の巻き数のうちの少なくとも１つの巻き数を変更することにより、外部受電装置に供給する電力の大きさを、適切に変更することができる。
【００１１】
この場合、好ましくは、外部受電装置と通信する通信部と、通信部を介して、外部受電装置から受電に関する情報を取得して、取得した受電に関する情報に基づいて、巻き数変更部を制御する制御部とをさらに備える。このように構成すれば、複数の外部受電装置に同時に給電を行う場合でも、複数の外部受電装置のそれぞれに対応する受電に関する情報に基づいて、複数の１次巻線の巻き数および複数の２次巻線の巻き数のうちの少なくとも１つの巻き数を、自動で、適切に変更することができる。
【００１２】
上記巻き数変更部を制御する制御部を備える給電装置では、好ましくは、受電に関する情報は、外部受電装置の受電電圧値と、外部受電装置の要求電圧値とを含み、制御部は、複数の１次巻線および複数の２次巻線のうち、受電電圧値が要求電圧値を超える外部受電装置に電力を供給する給電アンテナ部に対応する複数の１次巻線または複数の２次巻線の少なくとも一方の巻き数を、巻き数変更部により小さくして、受電電圧値が要求電圧値を超える外部受電装置の受電電圧値を小さくする制御を行うように構成されている。このように構成すれば、受電電圧値が要求電圧値を超える外部受電装置の受電電圧値が小さくなるように、対応する１次巻線または２次巻線の巻き数を変更するので、複数の外部受電装置に同時に給電を行う場合でも、一部の外部受電装置に過度に大きい電力が供給されるのを抑制することができる。
【００１３】
この場合、好ましくは、制御部は、複数の１次巻線および複数の２次巻線のうち、要求電圧値から受電電圧値を差分した値が最も大きい外部受電装置に電力を供給する給電アンテナ部に対応する複数の１次巻線または複数の２次巻線の少なくとも一方の巻き数を、巻き数変更部により大きくして、要求電圧値から受電電圧値を差分した値が最も大きい外部受電装置の受電電圧値を大きくする制御を行うように構成されている。このように構成すれば、受電電圧値が大きくなるように１次巻線または２次巻線の巻き数を変更する場合でも、要求電圧値から受電電圧値を差分した値が最も大きい外部受電装置の受電電圧値が大きくなるように巻き数を変更するので、受電電圧値が要求電圧値を大きく上回るのを抑制することができる。
【００１４】
上記巻き数変更部を制御する制御部を備える給電装置では、好ましくは、制御部は、取得した複数の受電電圧値の合計値が、取得した複数の要求電圧値の合計値に略等しくなる状態で、巻き数変更部を制御するように構成されている。このように構成すれば、複数の受電電圧値の合計値が、取得した複数の要求電圧値の合計値に略等しい状態が維持されるので、巻き数を変更した場合でも、受電電圧値と要求電圧値との差が大きくなるのを抑制することができる。
【００１５】
上記巻き数変更部を制御する制御部を備える給電装置では、好ましくは、制御部は、複数の１次巻線のインピーダンスの合計値を略一定に保った状態で、巻き数変更部を制御するように構成されている。ここで、電源部に、Ｅ級増幅回路を設ける場合には、電源部の出力側（電力分配部側）のインピーダンスが設計値とは異なる値になった場合に、零電圧スイッチングが困難になり、電力効率が低下する場合がある。すなわち、電源部の電力分配部側のインピーダンスは一定であることが好ましい。そこで、本発明では、制御部を、複数の１次巻線のインピーダンスの合計値を略一定に保った状態で、巻き数変更部を制御するように構成するので、電源部にＥ級増幅回路を設ける場合にも、電力効率が低下するのを抑制しながら、巻き数変更部により１次巻線または２次巻線の巻き数を変更することができる。
【００１６】
上記巻き数変更部を制御する制御部を備える給電装置では、好ましくは、電力分配部は、複数の１次巻線のそれぞれの１次巻線、および、複数の２次巻線のそれぞれの２次巻線のうちの少なくとも一方を短絡して、対応する給電アンテナ部に前記電力の供給を停止することが可能な複数のスイッチ部を含み、制御部は、短絡させたスイッチ部と、スイッチ部が短絡中に受電が停止された外部受電装置とを対応付けるとともに、スイッチ部と外部受電装置との対応関係と受電に関する情報とに基づいて、巻き数変更部を制御するように構成されている。このように構成すれば、外部受電装置に対応するスイッチ部が配置されている１次巻線または２次巻線の巻き数を、対応付けられた外部受電装置の受電に関する情報に基づいて、適切に変更することができる。
【００１７】
この場合、好ましくは、制御部は、外部受電装置に電力を供給する際に、複数のスイッチ部のうち、対応する外部受電装置を有しないスイッチ部を短絡する制御を行うように構成されている。ここで、対応する外部受電装置を有しないスイッチ部に対応する給電アンテナ部からは、外部受電装置に電力が供給されない（たとえば、外部受電装置が給電アンテナ部の近傍に配置されていない）ので、対応する外部受電装置を有しないスイッチ部に対応する１次巻線、２次巻線、および、給電アンテナ部に電力が供給される場合、この電力は、不要に消費される電力となる。この点に対して、本発明では、制御部を、外部受電装置に電力を供給する際に、対応する外部受電装置を有しないスイッチ部を短絡する制御を行うように構成するので、短絡されたスイッチ部から給電アンテナ部側には電力が供給されずに、不要に電力が消費されるのを抑制することができる。
【００１８】
上記巻き数変更部を制御する制御部を備える給電装置では、好ましくは、受電に関する情報は、外部受電装置の要求電圧値を含み、電力分配部は、複数の１次巻線のそれぞれの電圧値を検出する巻線電圧検出部を含み、制御部は、巻線電圧検出部の検出結果と要求電圧値とに基づいて、１次巻線と外部受電装置とを対応付けるとともに、１次巻線と外部受電装置との対応関係と受電に関する情報とに基づいて、巻き数変更部を制御するように構成されている。このように構成すれば、１次巻線と外部受電装置とが対応付けられるので、外部受電装置に対応付けられた１次巻線または１次巻線に対応する２次巻線の巻き数を、対応付けられた外部受電装置の受電に関する情報に基づいて、適切に変更することができる。
【発明の効果】
【００１９】
本発明によれば、上記のように、要求する電力の異なる複数の受電装置に同時に給電を行う場合にも、適切に電力の大きさを設定することができる。
【図面の簡単な説明】
【００２０】
【図１】本発明の第１実施形態による給電装置の全体構成を示した斜視図である。
【図２】本発明の第１実施形態による給電装置の構成を示したブロック図である。
【図３】本発明の第２実施形態（第４実施形態）による給電装置の構成を示したブロック図である。
【図４】本発明の第２〜第４実施形態による給電装置のタップ付トランスの構成を示す模式図である。
【図５】本発明の第２〜第４実施形態による給電装置の電力分配の制御処理を説明するためのフローチャートである。
【図６】本発明の第２実施形態（第４実施形態）による給電装置の受電装置の検出の制御処理を説明するためのフローチャートである。
【図７】本発明の第２〜第４実施形態による給電装置の給電電圧値の設定の制御処理を説明するためのフローチャートである。
【図８】本発明の第２実施形態（第３実施形態）による給電装置の巻き数の変更の制御処理を説明するためのフローチャートである。
【図９】本発明の第２実施形態による給電装置の巻き数の変更の制御処理の例を説明するための図である。
【図１０】本発明の第３実施形態による給電装置の構成を示したブロック図である。
【図１１】本発明の第３実施形態による給電装置の受電装置の検出の制御処理を説明するためのフローチャートである。
【図１２】本発明の第４実施形態による給電装置の巻き数の変更の制御処理を説明するためのフローチャートである。
【図１３】本発明の第４実施形態による給電装置の巻き数の変更の制御処理の例を説明するための図である。
【発明を実施するための形態】
【００２１】
以下、本発明の実施形態を図面に基づいて説明する。
【００２２】
［第１実施形態］
図１および図２を参照して、本発明の第１実施形態による給電装置１００の構成について説明する。図１に示すように、第１実施形態による給電装置１００は、給電装置１００の近傍に配置された複数の受電装置２００（たとえば、ＰＣ（Ｐｅｒｓｏｎａｌ  Ｃｏｍｐｕｔｅｒ）２００ａ、スマートフォン２００ｂ、および、多機能時計２００ｃ）に対して同時に、給電装置１００と受電装置２００との間に配線および接点等を設けずに、磁気共鳴方式を用いて、（ワイヤレス給電装置または非接点給電装置として）電力を供給するように構成されている。
【００２３】
（給電装置の全体構成）
図１に示すように、給電装置１００は、給電装置１００の上面１に、複数の受電装置２００（たとえば、ＰＣ２００ａ、スマートフォン２００ｂ、および、多機能時計２００ｃ）を載置することが可能に構成されている。そして、給電装置１００は、上面１に複数の受電装置２００を載置した状態で、給電を行うように構成されている。なお、ＰＣ２００ａ、スマートフォン２００ｂ、および、多機能時計２００ｃは、本発明の「外部受電装置」の一例である。
【００２４】
図２に示すように、給電装置１００には、電源部２と、電力分配部３と、給電アンテナ部４ａ〜４ｃと、制御部５と、通信部６と、複数のケーブル７とが設けられている。また、電力分配部３は、トランス部３１ａ〜３１ｃを含む。そして、トランス部３１ａは、１次巻線３２ａおよび対応する２次巻線３３ａを含む。また、トランス部３１ｂは、１次巻線３２ｂおよび対応する２次巻線３３ｂを含む。また、トランス部３１ｃは、１次巻線３２ｃおよび対応する２次巻線３３ｃを含む。
【００２５】
ここで、第１実施形態では、１次巻線３２ａ〜３２ｃは、電源部２に直列に接続されている。また、２次巻線３３ａは、給電アンテナ部４ａに、２次巻線３３ｂは、給電アンテナ部４ｂに、２次巻線３３ｃは、給電アンテナ部４ｃに、それぞれ接続されている。そして、電力分配部３は、１次巻線３２ａの巻き数Ｔ１と、１次巻線３２ｂの巻き数Ｔ２と、１次巻線３２ｃの巻き数Ｔ３とが、それぞれ異なる大きさを有する状態で、給電アンテナ部４ａ〜４ｃに電力をそれぞれ分配するように構成されている。
【００２６】
（給電装置の各部の構成）
図１に示すように、給電装置１００の上面１には、インジケータ１１ａ〜１１ｃが設けられている。インジケータ１１ａは、第１給電コイル４１ａの近傍に設けられており、たとえば、第１給電コイル４１ａが大電力専用の（大きな電力を供給することが可能）のコイルであることを示す旨を表示するように構成されている。また、インジケータ１１ｂは、第２給電コイル４１ｂの近傍に設けられており、第２給電コイル４１ｂが中電力専用のコイルであることを示す旨を表示するように構成されている。また、インジケータ１１ｃは、第３給電コイル４１ｃの近傍に設けられており、たとえば、第３給電コイル４１ｃが小電力専用のコイルであることを示す旨を表示するように構成されている。
【００２７】
図２に示すように、電源部２は、外部商用電源（図示せず）またはバッテリ部（図示せず）から電力を取得するように構成されている。そして、電源部２は、取得した電力を、制御部５による指令に基づいた給電電圧値Ｖｔ０を有する電力に電力変換するように構成されている。また、電源部２は、零電圧スイッチングが可能な、いわゆるＥ級増幅回路を含み、給電電圧値Ｖｔ０の電力を、給電アンテナ部４ａ〜４ｃの共振周波数に対応した駆動周波数の交流の電力として、電力分配部３に供給するように構成されている。
【００２８】
給電アンテナ部４ａには、第１給電コイル４１ａおよび整合回路４２ａが設けられている。第１給電コイル４１ａは、電力分配部３からの交流の電力により給電磁界を発生させて、電力を受電装置２００（図２の場合、ＰＣ２００ａ）に供給するように構成されている。整合回路４２ａは、たとえば、共振コンデンサ等を含み、第１給電コイル４１ａと２次巻線３３ａ（およびケーブル７）とのインピーダンスを整合するように構成されている。
【００２９】
給電アンテナ部４ｂには、第２給電コイル４１ｂおよび整合回路４２ｂが設けられている。第２給電コイル４１ｂは、第１給電コイル４１ａと同様に構成されており、電力を受電装置２００（図２の場合、スマートフォン２００ｂ）に供給するように構成されている。また、整合回路４２ｂは、整合回路４２ａと同様に構成されている。
【００３０】
給電アンテナ部４ｃには、第３給電コイル４１ｃおよび整合回路４２ｃが設けられている。第３給電コイル４１ｃは、第１給電コイル４ａと同様に構成されており、電力を受電装置２００（図２の場合、多機能時計２００ｃ）に供給するように構成されている。また、整合回路４２ｃは、整合回路４２ａと同様に構成されている。
【００３１】
制御部５は、電源部２の給電電圧値Ｖｔ０を制御するように構成されている。また、制御部５は、通信部６を介して、受電装置２００から受電に関する情報を取得するように構成されている。また、受電に関する情報は、受電電圧値Ｖｒ（Ｖｒ１〜Ｖｒ３）、要求電圧値Ｖｑ（Ｖｑ１〜Ｖｑ３）、および、受電装置２００の識別情報等を含む。そして、制御部５は、受電電圧値Ｖｒに基づいて、給電電圧値Ｖｔ０を設定するように構成されている。なお、受電電圧値Ｖｒ１および要求電圧値Ｖｑ１は、それぞれＰＣ２００ａの受電電圧値Ｖｒおよび要求電圧値Ｖｑとし、受電電圧値Ｖｒ２および要求電圧値Ｖｑ２は、それぞれスマートフォン２００ｂの受電電圧値Ｖｒおよび要求電圧値Ｖｑとし、受電電圧値Ｖｒ３および要求電圧値Ｖｑ３は、それぞれ多機能時計２００ｃの受電電圧値Ｖｒおよび要求電圧値Ｖｑとする。
【００３２】
通信部６は、受電装置２００と所定の規格（たとえば、Ｂｌｕｅｔｏｏｔｈ（登録商標）規格）に基づいた無線通信を行うように構成されている。
【００３３】
ケーブル７は、たとえば、同軸ケーブルまたは平行フィーダにより構成されており、所定の特性インピーダンスを有する。
【００３４】
（電力分配部の構成）
ここで、第１実施形態では、図２に示すように、電力分配部３は、１次巻線３２ａ〜３２ｃの巻き数Ｔ１〜Ｔ３の大きさがそれぞれ異なるように構成されている。
【００３５】
具体的には、１次巻線３２ａは、巻き数Ｔ１を有し、１次巻線３２ｂは、巻き数Ｔ２を有し、１次巻線３２ｃは、巻き数Ｔ３を有する。また、２次巻線３３ａ〜３３ｃは、同一の巻き数Ｔ４を有する。そして、巻き数Ｔ１〜Ｔ３は、Ｔ１＞Ｔ２＞Ｔ３の関係を有する。また、１次巻線３２ａは、インピーダンスＺ１を有し、１次巻線３２ｂは、インピーダンスＺ２を有し、１次巻線３２ｃは、インピーダンスＺ３を有する。巻き数Ｔ１〜Ｔ３の大きさの関係から、インピーダンスＺ１〜Ｚ３は、Ｚ１＞Ｚ２＞Ｚ３の関係を有する。
【００３６】
ここで、１次巻線３２ａ〜３２ｃは互いに直列に接続されているので、１次巻線３２ａ〜３２ｃは、電源部２から電力が供給された場合、同一の電流値を有する電流が流れる。この場合、供給された電力の給電電圧値Ｖｔ０は、１次巻線３２ａ〜３２ｃのインピーダンスＺ１〜Ｚ３に比例して、分圧される。すなわち、１次巻線３２ａに印加される電圧値Ｖｔ１と、１次巻線３２ｂに印加される電圧値Ｖｔ２と、１次巻線３２ｃに印加される電圧値Ｖｔ３とは、Ｖｔ１＞Ｖｔ２＞Ｖｔ３の関係を有する。
【００３７】
そして、２次巻線３３ａ〜３３ｃは、１次巻線３２ａ〜３２ｃからそれぞれ電力を取得して、取得した電力を、ケーブル７を介して、給電アンテナ部４ａ〜４ｃに供給するように構成されている。
【００３８】
すなわち、この場合、電力分配部３は、給電アンテナ部４ａに比較的大きな電力を供給して、給電アンテナ部４ｂに中程度の電力を供給して、給電アンテナ部４ｃに比較的小さな電力を分配して供給するように構成されている。これにより、給電アンテナ部４ａから比較的強い給電磁界が生成され、給電アンテナ部４ｂから中程度の給電磁界が生成され、給電アンテナ部４ａから比較的弱い給電磁界が生成される。
【００３９】
（受電装置の構成）
次に、図２を参照して、受電装置２００（ＰＣ２００ａ、スマートフォン２００ｂ、および、多機能時計２００ｃ）の構成について説明する。
【００４０】
ＰＣ２００ａには、負荷２０１ａと、受電アンテナ部２０２と、制御部２０３と、電圧測定部２０４と、通信部２０５とが設けられている。
【００４１】
スマートフォン２００ｂは、負荷２０１ｂを含み、その他の構成は、ＰＣ２００ａと同様に構成されている。
【００４２】
多機能時計２００ｃは、負荷２０１ｃを含み、その他の構成は、ＰＣ２００ａと同様に構成されている。
【００４３】
負荷２０１ａ〜２０１ｃは、たとえば、受電装置２００の各種機能（たとえば、負荷２０１ｂの場合、スマートフォンとしての機能）を発揮するために電力を消費する回路として構成されている。なお、負荷２０１ａは、負荷の値Ｒ１を有し、負荷２０１ｂは、負荷の値Ｒ２を有し、負荷２０１ｃは、負荷の値Ｒ３を有する。なお、受電装置２００では、たとえば、負荷の値Ｒ１〜Ｒ３の大きさに応じて、要求電圧値Ｖｑ１〜Ｖｑ３が設定されている。
【００４４】
受電アンテナ部２０２は、共振コンデンサおよび受電コイルを含み、給電装置１００から、電力を第１給電コイル４１ａ（第２給電コイル４１ｂまたは第３給電コイル４１ｃ）と磁界結合することにより受電するように構成されている。
【００４５】
電圧測定部２０４は、受電アンテナ部２０２から負荷２０１ａ（負荷２０１ｂまたは２０１ｃ）に印加される受電中の受電電圧値Ｖｒ（Ｖｒ１、Ｖｒ２またはＶｒ３）を測定するように構成されている。
【００４６】
通信部２０５は、給電装置１００の通信部６と無線通信することが可能に構成されている。
【００４７】
制御部２０３は、給電装置１００から給電が行われていない状態から給電が開始された時に、アドバタイズ信号を、通信部２０５を介して、給電装置１００に送信するように構成されている。そして、給電装置１００により、通信の接続が許可された場合に、制御部２０３は、通信部２０５を介して、給電装置１００に、受電に関する情報を送信する制御を行うように構成されている。
【００４８】
また、制御部２０３は、電圧測定部２０４から受電電圧値Ｖｒ（Ｖｒ１、Ｖｒ２またはＶｒ３）を取得するように構成されている。そして、制御部２０３は、受電装置２００の受電に関する情報として、受電電圧値Ｖｒ（Ｖｒ１、Ｖｒ２またはＶｒ３）と、要求電圧値Ｖｑ（Ｖｑ１、Ｖｑ２またはＶｑ３）とを、通信部２０５を介して、給電装置１００に送信するように構成されている。
【００４９】
（給電装置の動作例）
次に、図２を参照して、給電装置１００の動作例について説明する。給電装置１００から受電装置２００（ＰＣ２００ａ、スマートフォン２００ｂ、および、多機能時計２００ｃ）に給電を行う場合について説明する。なお、電力分配部３の１次巻線３２ａのインピーダンスＺ１を３Ω、１次巻線３２ｂのインピーダンスＺ２を２Ω、１次巻線３２ｃのインピーダンスＺ３を１Ω、受電装置２００の要求電圧値Ｖｑ１を３Ｖ、要求電圧値Ｖｑ２を２Ｖ、要求電圧値Ｖｑ３を１Ｖとする。また、給電電圧値Ｖｔ０は、６Ｖとする。また、以下の説明では、電力が配線または空間を伝達する際に生じる損失について考慮せずに記載している。
【００５０】
電源部２から電力分配部３に給電電圧値Ｖｔ０（６Ｖ）の電圧が印加される。そして、電力分配部３の１次巻線３２ａのインピーダンスＺ１が３Ω、１次巻線３２ｂのインピーダンスＺ２が２Ω、１次巻線３２ｃのインピーダンスＺ３が１Ωであるので、給電電圧値Ｖｔ０（６Ｖ）は、１次巻線３２ａに電圧値Ｖｔ１（３Ｖ）、１次巻線３２ｂに電圧値Ｖｔ２（２Ｖ）、１次巻線３２ｃに電圧値Ｖｔ３（１Ｖ）として分圧される。
【００５１】
そして、１次巻線３２ａ〜３２ｃから２次巻線３３ａ〜３３ｃにそれぞれ電力が伝達され、２次巻線３３ａ〜３３ｃから給電アンテナ部４ａ〜４ｃにそれぞれ電力が供給される。そして、給電アンテナ部４ａからは電圧値Ｖｔ１（３Ｖ）の給電磁界、給電アンテナ部４ｂからは電圧値Ｖｔ２（２Ｖ）の給電磁界、給電アンテナ部４ｃからは電圧値Ｖｔ３（１Ｖ）の給電磁界が生成される。
【００５２】
ユーザにより、ＰＣ２００ａが給電コイル４１ａの近傍に、スマートフォン２００ｂが給電コイル４１ｂの近傍に、多機能時計２００ｃが給電コイル４１ｃの近傍にそれぞれ配置される。
【００５３】
ＰＣ２００ａは、給電アンテナ部４ａからの給電磁界により受電電圧値Ｖｒ１が３Ｖとして受電する。スマートフォン２００ｂは、給電アンテナ部４ｂからの給電磁界により受電電圧値Ｖｒ２が２Ｖとして受電する。多機能時計２００ｃは、給電アンテナ部４ｃからの給電磁界により受電電圧値Ｖｒ３が１Ｖとして受電する。
【００５４】
そして、ＰＣ２００ａから給電装置１００に受電に関する情報である受電電圧値Ｖｒ１（３Ｖ）および要求電圧値Ｖｑ１（３Ｖ）が送信される。また、スマートフォン２００ｂから給電装置１００に受電に関する情報である受電電圧値Ｖｒ２（２Ｖ）および要求電圧値Ｖｑ２（２Ｖ）が送信される。また、多機能時計２００ｃから給電装置１００に受電に関する情報である受電電圧値Ｖｒ３（１Ｖ）および要求電圧値Ｖｑ３（１Ｖ）が送信される。すなわち、ＰＣ２００ａ、スマートフォン２００ｂおよび多機能時計２００ｃのそれぞれの要求電圧値Ｖｑ１〜Ｖｑ３と、受電電圧値Ｖｒ１〜Ｖｒ３とが一致した状態で、給電装置１００から、ＰＣ２００ａ、スマートフォン２００ｂおよび多機能時計２００ｃのそれぞれに、電力が供給される。
【００５５】
（第１実施形態の効果）
第１実施形態では、以下のような効果を得ることができる。
【００５６】
第１実施形態では、上記のように、１次巻線３２ａ〜３２ｃに、互いに巻き数（Ｔ１〜Ｔ３）が異なる巻線（３２ａ〜３２ｃ）を設ける。そして、電力分配部３を、１次巻線３２ａ〜３２ｃの巻き数Ｔ１〜Ｔ３がそれぞれ異なる状態で、給電アンテナ部４ａ〜４ｃに電力を分配するように構成する。これにより、比較的大きな巻き数Ｔ１を有する１次巻線３２ａに対応する給電アンテナ部４ａからは比較的大きな電力（電圧値Ｖｔ１）を供給することができるとともに、比較的小さな巻き数を有する１次巻線３２ｃに対応する給電アンテナ部４ｃからは比較的小さな電力（電圧値Ｖｔ３）を供給することができる。したがって、比較的小さな電力を供給する給電アンテナ部４ｃの近傍に、比較的小さな電力を要求する多機能時計２００ｃを配置して、比較的大きな電力を供給する給電アンテナ部４ａの近傍に、比較的大きな電力を要求するＰＣ２００ａを配置することにより、比較的小さな電力を要求する（要求電圧値Ｖｑ３）の多機能時計２００ｃおよび比較的大きな電力を要求する（要求電圧値Ｖｑ１）のＰＣ２００ａの両方に適した電力を供給することができる。その結果、比較的小さな電力を要求する多機能時計２００ｃと比較的大きな電力を要求するＰＣ２００ａとを含む複数の受電装置２００に同時に給電を行う場合にも、適切に電力の大きさを設定することができる。
【００５７】
また、第１実施形態では、上記のように、電力分配部３を、１次巻線３２ａ〜３２ｃの巻き数Ｔ１〜Ｔ３がそれぞれ異なる状態で、給電アンテナ部４ａ〜４ｃに電力を分配するように構成する。これにより、２次巻線３３ａ〜３３ｃの巻き数を異なるように構成する場合に比べて、２次巻線３３ａ〜３３ｃの各々と給電アンテナ部４ａ〜４ｃとの間のインピーダンスが略等しくなるので、ケーブルとして、同一のケーブル７を用いることができる。
【００５８】
［第２実施形態］
次に、図３および図４を参照して、第２実施形態による給電装置３００の構成について説明する。第２実施形態による給電装置３００では、電力分配部３０３に、タップ付トランス３３０ａ〜３３０ｃが設けられている。なお、上記第１実施形態と同一の構成については、同じ符号を付してその説明を省略する。
【００５９】
（第２実施形態による給電装置の構成）
図３に示すように、第２実施形態による給電装置３００は、電力分配部３０３と、制御部３０５と、記憶部３０７とを含む。
【００６０】
ここで、第２実施形態では、電力分配部３０３は、タップ付トランス３３０ａ〜３３０ｃと、短絡スイッチ部３３１ａ〜３３１ｃとを含む。
【００６１】
図４に示すように、タップ付トランス３３０ａは、１次巻線３３２と、２次巻線３３３と、巻き数切替スイッチ部３３４および３３５とを含む。１次巻線３３２には、複数（Ｎ個）のタップ（接続点）が設けられている。そして、巻き数切替スイッチ部３３４は、制御部３０５からの制御信号に応じて、１次巻線３３２のタップの接続状態を切り替えて、１次巻線３３２の巻き数Ｔ５を、たとえば、巻き数Ｔ５１から巻き数Ｔ５ｎに変更するように構成されている。なお、巻き数切替スイッチ部３３４および３３５は、本発明の「巻き数変更部」の一例である。
【００６２】
また、２次巻線３３３には、複数（Ｍ個）のタップが設けられている。そして、巻き数切替スイッチ部３３５は、制御部３０５からの制御信号に応じて、２次巻線３３３のタップの接続状態を切り替えて、２次巻線３３３の巻き数Ｔ６を、たとえば、巻き数Ｔ６１から巻き数Ｔ６ｍに変更するように構成されている。
【００６３】
また、タップ付トランス３３０ｂおよび３３０ｃは、タップ付トランス３３０ａと同様に構成されている。
【００６４】
（第２実施形態による給電装置の制御部の構成）
【００６５】
〈受電装置の検出の制御に関する構成〉
ここで、第２実施形態では、図３に示すように、短絡スイッチ部３３１ａ〜３３１ｃは、制御部３０５の制御信号に基づいて、タップ付トランス３３０ａ〜３３０ｃのそれぞれの１次巻線３３２の両端を短絡して、対応する給電アンテナ部４ａ〜４ｃに電力の供給を停止するように構成されている。そして、制御部３０５は、短絡させた短絡スイッチ部３３１ａ（３３１ｂまたは３３１ｃ）と、短絡スイッチ部３３１ａ（３３１ｂまたは３３１ｃ）が短絡中に受電が停止された受電装置２００とを対応付ける制御を行うように構成されている。
【００６６】
具体的には、図３に示すように、短絡スイッチ部３３１ａは、タップ付トランス３３０ａの１次巻線３３２（１次側）の両端に接続されている。短絡スイッチ部３３１ｂは、タップ付トランス３３０ｂの１次巻線３３２の両端に接続されている。短絡スイッチ部３３１ｃは、タップ付トランス３３０ｃの１次巻線３３２の両端に接続されている。
【００６７】
そして、短絡スイッチ部３３１ａ〜３３１ｃは、制御部３０５の制御信号に基づいて、タップ付トランス３３０ａ〜３３０ｃのそれぞれの１次巻線３３２の両端を短絡するように構成されている。
【００６８】
たとえば、短絡スイッチ部３３１ａをオンすることにより、タップ付トランス３３０ａの１次巻線３３２の両端を短絡する場合には、電力分配部３０３から給電アンテナ部４ａには、電力が供給されない。この場合、ＰＣ２００ａには、電力は供給されず、受電が停止される。
【００６９】
ここで、制御部３０５は、所定の期間、短絡スイッチ部３３１ａをオンするとともに、所定の期間の経過後、短絡スイッチ部３３１ａをオフする制御を行うように構成されている。これにより、ＰＣ２００ａ（受電装置２００）では、所定の期間に受電が停止され、所定の期間の経過後、改めて受電が開始される。そして、ＰＣ２００ａ（受電装置２００）は、受電が開始されたことに応じて、アドバタイズ信号を、給電装置１００に送信するように構成されている。
【００７０】
そして、制御部３０５は、通信部６を介して、アドバタイズ信号を取得するように構成されている。制御部３０５は、取得したアドバタイズ信号に対応する受電装置２００（ＰＣ２００ａ）と、所定の期間オンした短絡スイッチ部３３１ａとを対応付ける。すなわち、制御部３０５は、短絡スイッチ部３３１ａに対応する給電アンテナ部４ａに、ＰＣ２００ａが配置されていると判断する制御を行う。そして、制御部３０５は、上記の対応付けの結果を、記憶部３０７に記憶する制御を行う。
【００７１】
そして、制御部３０５は、短絡スイッチ部３３１ｂおよび３３１ｃについても、短絡スイッチ部３３１ａと同様に、所定の期間、短絡スイッチ部３３１ｂ（３３１ｃ）をオンするとともに、所定の期間の経過後、短絡スイッチ部３３１ｂ（３３１ｃ）をオフする制御を行うように構成されている。これにより、図３に示す例では、制御部３０５は、短絡スイッチ部３３１ａとＰＣ２００ａとが対応関係を有し、短絡スイッチ部３３１ｂと多機能時計２００ｃとが対応関係を有し、短絡スイッチ部３３１ｃには対応する受電装置２００を有しないと判断する。
【００７２】
〈給電電圧値の設定の制御に関する構成〉
ここで、第２実施形態では、制御部３０５は、電源部２から供給される電力の給電電圧値Ｖｔ０を、取得した受電電圧値Ｖｒの合計値と、取得した要求電圧値Ｖｑの合計値とが略等しくなるように設定するように構成されている。
【００７３】
たとえば、制御部３０５は、給電装置３００からＰＣ２００ａおよび多機能時計２００ｃに給電を行っている場合には、ＰＣ２００ａおよび多機能時計２００ｃから、通信部６を介して、受電電圧値Ｖｒ１およびＶｒ３と、要求電圧値Ｖｑ１およびＶｑ３とを取得する。そして、制御部３０５は、給電電圧値Ｖｔ０を、受電電圧値Ｖｒの合計値（Ｖｒ１＋Ｖｒ３）と要求電圧値Ｖｑの合計値（Ｖｑ１＋Ｖｑ３）とが等しくなるように設定する。
【００７４】
〈巻き数の変更の制御に関する構成〉
ここで、第２実施形態では、制御部３０５は、短絡スイッチ部３３１ａ〜３３１ｃと受電装置２００との対応関係と、受電装置２００から通信部６を介して取得した受電に関する情報（受電電圧値Ｖｒおよび要求電圧値Ｖｑ）とに基づいて、タップ付トランス３３０ａ〜３３０ｃのそれぞれの巻き数切替スイッチ部３３４および３３５の動作を制御するように構成されている。
【００７５】
具体的には、第２実施形態では、制御部３０５は、受電電圧値Ｖｒが要求電圧値Ｖｑを超える受電装置２００の受電電圧値Ｖｒが小さくなるように、タップ付トランス３３０ａ〜３３０ｃのうち、受電電圧値Ｖｒが要求電圧値Ｖｑを超える受電装置２００に電力を供給する給電アンテナ部４ａ〜４ｃに対応するタップ付トランス３３０ａ〜３３０ｃの１次巻線３３２の巻き数Ｔ５または２次巻線３３３の巻き数Ｔ６を、巻き数切替スイッチ部３３４および３３５により小さくする制御を行うように構成されている。
【００７６】
たとえば、多機能時計２００ｃの受電電圧値Ｖｒ３が要求電圧値Ｖｑ３を超えている場合には、制御部３０５は、多機能時計２００ｃに対応する短絡スイッチ部３３１ｂに接続されているタップ付トランス３３０ｂの１次巻線３３２の巻き数Ｔ５または２次巻線３３３の巻き数Ｔ６を、巻き数切替スイッチ部３３４および３３５により小さくする制御を行う。たとえば、図４に示すように、制御部３０５は、１次巻線３３２の巻き数Ｔ５を、巻き数Ｔ５ｎからＴ５ｎ＋１（＜Ｔ５ｎ）に切り替える。これにより、１次巻線３３２の巻き数Ｔ５の大きさが小さくなるので、給電アンテナ部４ｂに供給される電力の電力値の大きさが小さくなる。
【００７７】
また、第２実施形態では、制御部３０５は、受電装置２００に電力を供給する際に、短絡スイッチ部３３１ａ〜３３１ｃのうち、対応する受電装置２００を有しない短絡スイッチ部３３１ａ（３３１ｂまたは３３１ｃ）を短絡する制御を行うように構成されている。
【００７８】
具体的には、上記の例では、制御部３０５は、短絡スイッチ部３３１ｃを、対応する受電装置２００を有しない短絡スイッチ部であると判断しているので、短絡スイッチ部３３１ｃをオン（短絡）する制御を行う。この場合、給電アンテナ部４ｃには電力が供給されず、給電アンテナ部４ｃからは給電磁界は生じない。
【００７９】
また、制御部３０５は、一定の期間ごと（たとえば、数秒ごと）に短絡スイッチ部３３１ｃをオフするように構成されている。これにより、一定の期間ごとに、給電アンテナ部４ｃから電力が供給されるので、給電アンテナ部４ｃの近傍に受電装置２００が配置された場合には、受電装置２００からアドバタイズ信号が送信され、受電装置２００を検出することができる。
【００８０】
また、第２実施形態による給電装置３００のその他の構成は、第１実施形態における給電装置１００と同様である。
【００８１】
（第２実施形態の給電装置による制御処理）
〈第２実施形態の給電装置による電力分配の制御処理〉
次に、図５を参照して、第２実施形態の給電装置３００による電力分配の制御処理フローについて説明する。以下の制御処理は、制御部３０５により実行される。
【００８２】
まず、ステップＳ１において、受電装置２００の検出処理（図６参照）が行われる。その後、ステップＳ２に進む。
【００８３】
ステップＳ２において、給電電圧値Ｖｔ０の設定処理（図７参照）が行われる。その後、ステップＳ３に進む。
【００８４】
ステップＳ３において、巻き数の変更処理（図８参照）が行われる。その後、給電装置３００による電力分配の制御処理は終了される。
【００８５】
〈第２実施形態の給電装置による受電装置の検出の制御処理〉
次に、図６を参照して、第２実施形態の給電装置３００による受電装置２００の検出の制御処理フローについて説明する。以下の制御処理は、制御部３０５により実行される。
【００８６】
なお、第２実施形態の給電装置３００による受電装置２００の検出の制御処理は、第２実施形態の給電装置３００による電力分配の制御処理（図５参照）におけるステップＳ１に相当する。また、図６では、ｉを、整数の変数として記載しており、短絡スイッチ部３３１ａを第１の短絡スイッチ部として、短絡スイッチ部３３１ｂを第２の短絡スイッチ部として、短絡スイッチ部３３１ｃを第３の短絡スイッチ部として記載している。
【００８７】
まず、ステップＳ１１において、ｉが１に設定される。その後、ステップＳ１２に進む。
【００８８】
ステップＳ１２において、第ｉの短絡スイッチ部を所定の期間、短絡（オン）するとともに、第ｉの短絡スイッチ部以外の短絡スイッチ部を所定の期間、オフする。その後、ステップＳ１３に進む。
【００８９】
ステップＳ１３において、受電装置２００を検出したか否かが判断される。具体的には、受電装置２００からアドバタイズ信号を取得したか否かが判断される。受電装置２００を検出した場合には、ステップＳ１４に進み、受電装置２００を検出しなかった場合には、ステップＳ１６に進む。
【００９０】
ステップＳ１４において、検出された受電装置２００から受電装置に関する情報の取得が行われる。その後、ステップＳ１５に進む。
【００９１】
ステップＳ１５において、検出された受電装置２００と、ステップＳ１２において短絡した第ｉ（第１、第２および第３のいずれか）の短絡スイッチ部とが対応付けされ、結果が記憶部３０７に記憶される。その後、ステップＳ１６に進む。
【００９２】
ステップＳ１６において、ｉは最大値か否かが判断される。上記の例の場合、短絡スイッチ部の数は、３つであるので、最大値は３である。ｉが最大値である場合、ステップＳ１８に進み、ｉは最大値でない場合、ステップＳ１７に進む。
【００９３】
ステップＳ１７において、ｉに１が加えられる。その後、ステップＳ１２に戻る。すなわち、ステップＳ１２〜Ｓ１７は、全ての短絡スイッチ部３３１ａ〜３３１ｃが順に１つずつ短絡され、受電装置２００をそれぞれ検出可能なループを形成している。
【００９４】
ステップＳ１８において、対応する受電装置２００を有しない短絡スイッチ部３３１ａ（３３１ｂまたは３３１ｃ）がオンされる。図３の例の場合、第３の短絡スイッチ部（短絡スイッチ部３３１ｃ）は、対応する受電装置２００を有しないので、第３の短絡スイッチ部がオンされる。その後、給電装置３００による受電装置２００の検出の制御処理は終了される。なお、上記したように、一定の期間ごとに、ステップＳ１８において、オン（短絡）した第３の短絡スイッチ部がオフされるように処理してもよい。
【００９５】
〈第２実施形態の給電装置による給電電圧値の設定の制御処理〉
次に、図７を参照して、第２実施形態の給電装置３００による給電電圧値Ｖｔ０の設定の制御処理フローについて説明する。以下の制御処理は、制御部３０５により実行される。
【００９６】
なお、第２実施形態の給電装置３００による給電電圧値Ｖｔ０の制御処理は、第２実施形態の給電装置３００による電力分配の制御処理（図５参照）におけるステップＳ２に相当する。
【００９７】
まず、ステップＳ２１において、受電装置２００から受電装置に関する情報の取得が行われる。その後、ステップＳ２２に進む。
【００９８】
ステップＳ２２において、取得した要求電圧値Ｖｑの合計値および取得した受電電圧値Ｖｒの算出が行われる。その後、ステップＳ２３に進む。
【００９９】
ステップＳ２３において、要求電圧値Ｖｑの合計値と受電電圧値Ｖｒの合計値とが一致しているか否かが判断される。要求電圧値Ｖｑの合計値と受電電圧値Ｖｒの合計値とが一致している場合には、給電装置３００による給電電圧値Ｖｔ０の設定の制御処理は終了され、要求電圧値Ｖｑの合計値と受電電圧値Ｖｒの合計値とが一致していない場合には、ステップＳ２４に進む。すなわち、要求電圧値Ｖｑの合計値と受電電圧値Ｖｒの合計値とが一致している場合には、給電電圧値Ｖｔ０は、最適な値であるので、設定が変更されない。
【０１００】
ステップＳ２４において、受電電圧値Ｖｒの合計値は、要求電圧値Ｖｑの合計値を超えるか否かが判断される。受電電圧値Ｖｒの合計値が要求電圧値Ｖｑの合計値を超えている場合には、ステップＳ２６に進み、受電電圧値Ｖｒの合計値が要求電圧値Ｖｑの合計値を超えていない場合には、ステップＳ２５に進む。
【０１０１】
ステップＳ２５において、給電電圧値Ｖｔ０が大きくされる。その後、ステップＳ２１に戻る。
【０１０２】
ステップＳ２６において、給電電圧値Ｖｔ０が小さくされる。その後、ステップＳ２１に戻る。すなわち、要求電圧値Ｖｑの合計値と受電電圧値Ｖｒの合計値とが一致するまで、ステップＳ２１〜Ｓ２６の処理が繰り返される。
【０１０３】
〈第２実施形態の給電装置による巻き数の変更の制御処理〉
次に、図８を参照して、第２実施形態の給電装置３００による巻き数の変更の制御処理フローについて説明する。以下の制御処理は、制御部３０５により実行される。
【０１０４】
なお、第２実施形態の給電装置３００による巻き数の変更の制御処理は、第２実施形態の給電装置３００による電力分配の制御処理（図５参照）におけるステップＳ３に相当する。すなわち、ステップＳ２において、給電電圧値Ｖｔ０が設定された後、巻き数の変更の制御処理が実行される。言い換えると、第２実施形態の給電装置３００では、取得した受電電圧値Ｖｒの合計値が、取得した要求電圧値Ｖｑの合計値に略等しくなる状態を維持したまま、巻き数の変更の制御処理が実行される。
【０１０５】
まず、ステップＳ３１において、受電装置２００から受電装置に関する情報の取得が行われる。その後、ステップＳ３２に進む。
【０１０６】
ステップＳ３２において、取得した要求電圧値Ｖｑの合計値および取得した受電電圧値Ｖｒの算出が行われる。その後、ステップＳ３３に進む。
【０１０７】
ステップＳ３３において、全ての受電電圧値Ｖｒ（Ｖｒ１〜Ｖｒ３）がそれぞれの要求電圧値Ｖｑ（Ｖｑ１〜Ｖｑ３）以下か否かが判断される。全ての受電電圧値Ｖｒがそれぞれの要求電圧値Ｖｑ以下である場合には、給電装置３００による巻き数の変更の制御処理は終了され、受電電圧値Ｖｒのいずれかが要求電圧値Ｖｑよりも大きい場合には、ステップＳ３４に進む。
【０１０８】
ステップＳ３４において、受電電圧値Ｖｒが要求電圧値Ｖｑを超える受電装置２００に対応する巻線（１次巻線または２次巻線）の巻き数が、巻き数切替スイッチ部３３４または３３５により小さくされる。その後、ステップＳ３１に戻る。
【０１０９】
すなわち、全ての受電電圧値Ｖｒ（Ｖｒ１〜Ｖｒ３）がそれぞれの要求電圧値Ｖｑ（Ｖｑ１〜Ｖｑ３）以下になるまで、ステップＳ３１〜Ｓ３４が繰り返される。
【０１１０】
次に、図５、図８および図９を参照して、数値例を用いた第２実施形態の給電装置３００による巻き数の変更の制御処理の例について説明する。
【０１１１】
なお、図９において、第１の１次巻線は、タップ付トランス３３０ａの１次巻線３３２とし、第２の１次巻線は、タップ付トランス３３０ｂの１次巻線３３２とし、第３の１次巻線は、タップ付トランス３３０ｃの１次巻線３３２とする。また、給電アンテナ部４ａ〜４ｃの近傍に、それぞれ受電装置２００が配置され、給電が行われているものとする。給電アンテナ部４ａの近傍に配置されている受電装置２００の要求電圧値Ｖｑは３Ｖとし、給電アンテナ部４ｂの近傍に配置されている受電装置２００の要求電圧値Ｖｑは２Ｖとし、給電アンテナ部４ｃの近傍に配置されている受電装置２００の要求電圧値Ｖｑは１Ｖとする。
【０１１２】
まず、図５に示すように、受電装置２００が、ステップＳ１（図６参照）により検出される。そして、給電電圧値Ｖｔ０が、ステップＳ２（図７参照）において、６．００Ｖと設定される。
【０１１３】
そして、図９に示すように、初期状態（ステップＳ３の開始時点）では、第３の１次巻線に対応する受電電圧値Ｖｒ（２Ｖ）が要求電圧値（１Ｖ）よりも大きくなっている。そして、巻き数の変更の制御処理のステップＳ３１〜Ｓ３４（図８参照）が１回実行され、第３の１次巻線のインピーダンスＺが５Ωから２Ωに変更される。これにより、第１の１次巻線の電圧値Ｖｔが２．００Ｖから２．５０Ｖ、第２の１次巻線の電圧値Ｖｔが２．００Ｖから２．５０Ｖ、第３の１次巻線の電圧値Ｖｔが２．００Ｖから１．００Ｖに変化する。なお、この状態を巻き数変更１回目とする。
【０１１４】
そして、巻き数変更１回目では、第２の１次巻線に対応する受電電圧値Ｖｒ（２．５Ｖ）が要求電圧値（２Ｖ）よりも大きくなっている。そして、巻き数の変更の制御処理のステップＳ３１〜Ｓ３４（図８参照）が１回実行され、第２の１次巻線のインピーダンスＺが５Ωから３Ωに変更される。これにより、第１の１次巻線の電圧値Ｖｔが２．５０Ｖから３．３３Ｖ、第２の１次巻線の電圧値Ｖｔが２．５０Ｖから２．００Ｖ、第３の１次巻線の電圧値Ｖｔが１．００Ｖから０．６７Ｖに変化する。
【０１１５】
そして、巻き数変更２回目では、第１の１次巻線に対応する受電電圧値Ｖｒ（３．３３Ｖ）が要求電圧値（３Ｖ）よりも大きくなっている。そして、巻き数の変更の制御処理のステップＳ３１〜Ｓ３４（図８参照）が１回実行され、第３の１次巻線のインピーダンスＺが５Ωから４Ωに変更される。これにより、第１の１次巻線の電圧値Ｖｔが３．３３Ｖから３．００Ｖ、第２の１次巻線の電圧値Ｖｔが２．００Ｖから２．２５Ｖ、第３の１次巻線の電圧値Ｖｔが０．６７Ｖから０．７５Ｖに変化する。
【０１１６】
そして、巻き数変更３回目では、第２の１次巻線に対応する受電電圧値Ｖｒ（２．２５Ｖ）が要求電圧値（２Ｖ）よりも大きくなっている。そして、巻き数の変更の制御処理のステップＳ３１〜Ｓ３４（図８参照）が１回実行され、第２の１次巻線のインピーダンスＺが３Ωから２Ωに変更される。これにより、第１の１次巻線の電圧値Ｖｔが３．００Ｖから３．４３Ｖ、第２の１次巻線の電圧値Ｖｔが２．２５Ｖから１．７１Ｖ、第３の１次巻線の電圧値Ｖｔが０．７５Ｖから０．８６Ｖに変化する。
【０１１７】
そして、巻き数変更４回目では、第１の１次巻線に対応する受電電圧値Ｖｒ（３．４３Ｖ）が要求電圧値（３Ｖ）よりも大きくなっている。そして、巻き数の変更の制御処理のステップＳ３１〜Ｓ３４（図８参照）が１回実行され、第２の１次巻線のインピーダンスＺが４Ωから３Ωに変更される。これにより、第１の１次巻線の電圧値Ｖｔが３．４３Ｖから３．００Ｖ、第２の１次巻線の電圧値Ｖｔが１．７１Ｖから２．００Ｖ、第３の１次巻線の電圧値Ｖｔが０．８６Ｖから１．００Ｖに変化する。
【０１１８】
そして、巻き数変更５回目では、全ての受電電圧値Ｖｒがそれぞれの要求電圧値Ｖｑ以下になり、受電装置２００のそれぞれに適した給電が行われる。
【０１１９】
（第２実施形態の効果）
第２実施形態では、以下のような効果を得ることができる。
【０１２０】
第２実施形態では、上記のように、電力分配部３０３に、タップ付トランス３３０ａ〜３３０ｃの１次巻線３３２の巻き数Ｔ５および２次巻線３３３の巻き数Ｔ６を変更する巻き数切替スイッチ部３３４および３３５を設ける。これにより、受電装置２００が要求する電力の大きさ（要求電圧値Ｖｑ）に合わせて、１次巻線３３２の巻き数Ｔ５および２次巻線３３３の巻き数Ｔ６を変更することにより、受電装置２００に供給する電力の大きさを、適切に変更することができる。
【０１２１】
また、第２実施形態では、上記のように、制御部３０５を、受電装置２００と通信する通信部６と、通信部６を介して、受電装置２００から受電に関する情報を取得して、取得した受電に関する情報に基づいて、巻き数切替スイッチ部３３４および３３５を制御するように構成する。これにより、複数の受電装置２００に同時に給電を行う場合でも、複数の受電装置２００のそれぞれに対応する受電に関する情報に基づいて、タップ付トランス３３０ａ〜３３０ｃの１次巻線３３２の巻き数Ｔ５または２次巻線３３３の巻き数Ｔ６を、自動で、適切に変更することができる。
【０１２２】
また、第２実施形態では、上記のように、受電に関する情報は、受電装置２００の受電電圧値Ｖｒと、受電装置２００の要求電圧値Ｖｑとを含む。また、制御部３０５を、タップ付トランス３３０ａ〜３３０ｃの１次巻線３３２または２次巻線３３３のうち、受電電圧値Ｖｒが要求電圧値Ｖｑを超える受電装置２００に電力を供給する給電アンテナ部４ａ〜４ｃに対応するタップ付トランス３３０ａ〜３３０ｃの１次巻線３３２の巻き数Ｔ５または２次巻線３３３の巻き数Ｔ６を、巻き数切替スイッチ部３３４および３３５により小さくして、受電電圧値Ｖｒが要求電圧値Ｖｑを超える受電装置２００の受電電圧値Ｖｒを小さくする制御を行うように構成する。これにより、複数の受電装置２００に同時に給電を行う場合でも、一部の受電装置２００に過度に大きい電力が供給されるのを抑制することができる。
【０１２３】
また、第２実施形態では、上記のように、制御部３０５を、取得した複数の受電電圧値Ｖｒの合計値が、取得した複数の要求電圧値Ｖｑの合計値に略等しくなる状態で、巻き数切替スイッチ部３３４および３３５を制御するように構成する。これにより、複数の受電電圧値Ｖｒの合計値が、取得した複数の要求電圧値Ｖｑの合計値に略等しい状態が維持されるので、巻き数Ｔ５またはＴ６を変更した場合でも、受電電圧値Ｖｒと要求電圧値Ｖｑとの差が大きくなるのを抑制することができる。
【０１２４】
また、第２実施形態では、上記のように、電力分配部３０３を、タップ付トランス３３０ａ〜３３０ｃのそれぞれの１次巻線３３２を短絡して、対応する給電アンテナ部４ａ〜４ｃに電力の供給を停止することが可能な短絡スイッチ部３３１ａ〜３３１ｃを設ける。また、制御部３０５を、短絡させた（オン）した短絡スイッチ部３３１ａ（３３１ｂまたは３３１ｃ）と、短絡スイッチ部３３１ａ（３３１ｂまたは３３１ｃ）が短絡中に受電が停止された（アドバタイズ信号を送信した）受電装置２００とを対応付けるとともに、短絡スイッチ部３３１ａ〜３３１ｃと受電装置２００との対応関係と受電に関する情報とに基づいて、巻き数切替スイッチ部３３４および３３５を制御するように構成する。これにより、受電装置２００に対応する短絡スイッチ部３３１ａ〜３３１ｃが配置されている１次巻線３３２の巻き数Ｔ５を、対応付けられた受電装置２００の受電に関する情報に基づいて、適切に変更することができる。
【０１２５】
また、第２実施形態では、上記のように、制御部３０５を、受電装置２００に電力を供給する際に、短絡スイッチ部３３１ａ〜３３１ｃのうち、対応する受電装置２００を有しない短絡スイッチ部３３１ａ（３３１ｂまたは３３１ｃ）を短絡する制御を行うように構成する。ここで、対応する受電装置２００を有しない短絡スイッチ部３３１ａ（３３１ｂまたは３３１ｃ）に対応する給電アンテナ部４ａ（４ｂまたは４ｃ）からは、受電装置２００に電力が供給されない（たとえば、受電装置２００が給電アンテナ部４ａ（４ｂまたは４ｃ）の近傍に配置されていない）ので、対応する受電装置２００を有しないスイッチ部３３１ａ（３３１ｂまたは３３１ｃ）に対応する１次巻線３３２、２次巻線３３３、および、給電アンテナ部４ａ（４ｂまたは４ｃ）に電力が供給される場合、この電力は、不要に消費される電力となる。この点に対して、第２実施形態では、制御部３０５を、受電装置２００に電力を供給する際に、対応する受電装置２００を有しない短絡スイッチ部３３１ａ（３３１ｂまたは３３１ｃ）を短絡する制御を行うように構成するので、短絡された短絡スイッチ部３３１ａ（３３１ｂまたは３３１ｃ）から給電アンテナ部４ａ（４ｂまたは４ｃ）側には電力が供給されずに、不要に電力が消費されるのを抑制することができる。
【０１２６】
また、第２実施形態による給電装置３００のその他の効果は、第１実施形態における給電装置１００と同様である。
【０１２７】
［第３実施形態］
次に、図１０を参照して、第３実施形態による給電装置４００の構成について説明する。第３実施形態による給電装置４００では、短絡スイッチ部３３１ａ〜３３１ｃを用いて、受電装置２００を検出するように構成されていた第２実施形態による給電装置３００と異なり、タップ付トランス３３０ａ〜３３０ｃのそれぞれの１次巻線３３２の電圧値を検出する巻線電圧検出部４３１ａ〜４３１ｃの検出結果を用いて、受電装置２００を検出するように構成されている。なお、上記第１実施形態または上記第２実施形態と同一の構成については、同じ符号を付してその説明を省略する。
【０１２８】
（第３実施形態による給電装置の構成）
図１０に示すように、第３実施形態による給電装置４００には、電力分配部４０３と制御部４０５とが設けられている。電力分配部４０３は、タップ付トランス３３０ａ〜３３０ｃと、巻線電圧検出部４３１ａ〜４３１ｃとを含む。その他の構成は、第２実施形態による給電装置３００の構成と同様である。
【０１２９】
ここで、第３実施形態では、巻線電圧検出部４３１ａ〜４３１ｃは、タップ付トランス３３０ａ〜３３０ｃのそれぞれの１次巻線３３２の電圧値Ｖｃ（Ｖｃ１〜Ｖｃ３）を検出するように構成されている。そして、制御部４０５は、巻線電圧検出部４３１ａ〜４３１ｃの検出結果と要求電圧値Ｖｑとに基づいて、タップ付トランス３３０ａ〜３３０ｃの１次巻線３３２と受電装置２００とを対応付けるとともに、タップ付トランス３３０ａ〜３３０ｃの１次巻線３３２と受電装置２００との対応関係と、受電に関する情報とに基づいて、巻き数変更スイッチ部３３４および３３５を制御するように構成されている。
【０１３０】
具体的には、巻線電圧検出部４３１ａは、タップ付トランス３３０ａの１次巻線３３２の両端の電位差（電圧値Ｖｃ１）を検出するように構成されている。巻線電圧検出部４３１ｂは、タップ付トランス３３０ｂの１次巻線３３２の両端の電位差（電圧値Ｖｃ２）を検出するように構成されている。巻線電圧検出部４３１ｃは、タップ付トランス３３０ｃの１次巻線３３２の両端の電位差（電圧値Ｖｃ３）を検出するように構成されている。
【０１３１】
そして、制御部４０５は、１次巻線３３２と、受電電圧２００とを、電圧値Ｖｃ（Ｖｃ１〜Ｖｃ３）の大きさと、負荷の大きさ（要求電圧値Ｖｑの大きさ）との相関関係により、対応付けるように構成されている。すなわち、制御部４０５は、１次巻線３３２の両端の電圧値Ｖｃが大きい１次巻線３３２と、負荷が大きい（要求電圧値Ｖｑが大きい）受電装置２００とを対応付けるとともに、制御部４０５は、１次巻線３３２の両端の電圧値Ｖｃが小さい１次巻線３３２と、負荷が小さい（要求電圧値Ｖｑが小さい）受電装置２００とを対応付ける制御を行うように構成されている。また、制御部４０５は、１次巻線３３２の両端の電圧値Ｖｃが略０の場合には、対応する受電装置２００を有しないと判断する。
【０１３２】
たとえば、ＰＣ２００ａの要求電圧値をＶｑ１、多機能時計２００ｃの要求電圧値をＶｑ３とし、Ｖｑ１＞Ｖｑ３とする。この場合、Ｖｃ１＞Ｖｃ２となるとともに、Ｖｃ３≒０となる。
【０１３３】
この場合、制御部４０５は、タップ付トランス３３０ａの１次巻線３３２と、ＰＣ２００ａとを対応付けたことを、記憶部３０７に記憶させ、タップ付トランス３３０ｂの１次巻線３３２と、多機能時計２００ｃとを対応付けたことを、記憶部３０７に記憶させ、タップ付トランス３３０ｃの１次巻線３３２には、対応する受電装置２００を有しないことを、記憶部３０７に記憶させる。
【０１３４】
そして、制御部４０５は、タップ付トランス３３０ａ〜３３０ｃの１次巻線３３２と受電装置２００との対応関係と、受電に関する情報とに基づいて、巻き数変更スイッチ部３３４および３３５を制御するように構成されている。この制御は、第２実施形態による給電装置３００の制御部３０５による電力分配の制御処理（図５参照）のステップＳ２およびステップＳ３と同様に処理される。
【０１３５】
また、第３実施形態による給電装置４００のその他の構成は、第１実施形態における給電装置１００と同様である。
【０１３６】
（第３実施形態の給電装置による受電装置の検出の制御処理）
次に、図１１を参照して、第３実施形態の給電装置４００による受電装置２００の検出の制御処理フローについて説明する。以下の制御処理は、制御部４０５により実行される。
【０１３７】
なお、第３実施形態の給電装置４００による受電装置２００の検出の制御処理は、第３実施形態の給電装置４００による電力分配の制御処理（図５参照）におけるステップＳ１に相当する。
【０１３８】
まず、ステップＳ４１において、受電装置２００から受電に関する情報（受電電圧値Ｖｒおよび要求電圧値Ｖｑ）の取得が行われる。その後、ステップＳ４２に進む。
【０１３９】
ステップＳ４２において、巻線電圧検出部４３１ａ〜４３１ｃにより、１次巻線３３２の電圧値Ｖｃ１〜Ｖｃ３の検出が行われる。その後、ステップＳ４３に進む。
【０１４０】
ステップＳ４３において、１次巻線３３２（タップ付トランス３３０ａ〜３３０ｃ）と、受電装置２００との対応付けが行われ、結果が記憶部３０７に記憶される。その後、給電装置４００による受電装置２００の検出の制御処理が終了される。
【０１４１】
（第３実施形態の効果）
第３実施形態では、以下のような効果を得ることができる。
【０１４２】
第３実施形態では、上記のように、受電に関する情報は、受電装置２００の要求電圧値Ｖｑを含む。また、電力分配部４０３に、タップ付トランス３３０ａ〜３３０ｃの１次巻線３３２のそれぞれの電圧値Ｖｃ（Ｖｃ１〜Ｖｃ３）を検出する巻線電圧検出部４３１ａ〜４３１ｃを設ける。また、制御部４０５を、巻線電圧検出部４３１ａ〜４３１ｃをの検出結果と要求電圧値Ｖｑとに基づいて、１次巻線３３２（タップ付トランス３３０ａ〜３３０ｃ）と受電装置２００とを対応付けるとともに、１次巻線３３２（タップ付トランス３３０ａ〜３３０ｃ）と受電装置２００との対応関係と受電に関する情報とに基づいて、巻き数切替スイッチ部３３４および３３５を制御するように構成する。これにより、１次巻線３３２と受電装置２００とが対応付けられるので、受電装置２００に対応付けられた１次巻線３３２の巻き数Ｔ５または１次巻線３３２に対応する２次巻線３３３の巻き数Ｔ６を、対応付けられた受電装置２００の受電に関する情報に基づいて、適切に変更することができる。
【０１４３】
また、第３実施形態による給電装置４００のその他の効果は、第１実施形態における給電装置１００と同様である。
【０１４４】
［第４実施形態］
次に、図３を参照して、第４実施形態による給電装置５００の構成について説明する。第４実施形態による給電装置５００では、制御部５０５は、複数の１次巻線３３２のインピーダンスＺ（Ｚ１１〜Ｚ１３）の合計値を略一定に保った状態で、巻き数切替スイッチ部３３４を制御するように構成されている。なお、上記第１〜第３実施形態と同一の構成については、同じ符号を付してその説明を省略する。
【０１４５】
（第４実施形態による給電装置の構成）
図３に示すように、第４実施形態による給電装置５００には、制御部５０５が設けられている。その他の構成は、第２実施形態による給電装置３００と同様である。
【０１４６】
ここで、第４実施形態では、制御部５０５は、複数の１次巻線３３２のインピーダンスＺ（Ｚ１１〜Ｚ１３）の合計値を略一定に保った状態で、巻き数切替スイッチ部３３４を制御するように構成されている。なお、インピーダンスＺ１１を、タップ付トランス３３０ａの１次巻線３３２のインピーダンスＺとし、インピーダンスＺ１２を、タップ付トランス３３０ｂの１次巻線３３２のインピーダンスＺとし、インピーダンスＺ１３を、タップ付トランス３３０ｃの１次巻線３３２のインピーダンスＺとする。
【０１４７】
たとえば、制御部５０５は、巻き数切替スイッチ部３３４により、タップ付トランス３３０ａの１次巻線３３２のインピーダンスＺ１１を小さくした場合には、タップ付トランス３３０ｂまたは３３０ｃの少なくとも一方の１次巻線３３２のインピーダンスＺ１２またはＺ１３を大きくする制御を行う。これにより、制御部３０５は、タップ付トランス３３０ａ〜３３０ｃの１次巻線３３２のインピーダンスＺの合計値（Ｚ１１＋Ｚ１２＋Ｚ１３）を、タップ付トランス３３０ａ〜３３０ｃの１次巻線３３２のインピーダンスＺの変更前後で、一定に保つ制御を行うように構成されている。
【０１４８】
また、第４実施形態では、制御部５０５は、タップ付トランス３３０ａ〜３３０ｃの１次巻線３３２のインピーダンスＺ（Ｚ１、Ｚ２またはＺ３）を大きくして（巻き数Ｔ５を大きくして）、受電電圧値Ｖｒを大きくする際に、要求電圧値Ｖｑから受電電圧値Ｖｒを差分した値（Ｖｑ−Ｖｒ）が最も大きい受電装置２００の受電電圧値Ｖｒが大きくなるように、受電装置２００のうちの要求電圧値Ｖｑから受電電圧値Ｖｒを差分した値（Ｖｑ−Ｖｒ）が最も大きい受電装置２００に電力を供給する給電アンテナ部４ａ（４ｂまたは４ｃ）に対応する１次巻線３３２の巻き数Ｔ５または２次巻線３３３の巻き数Ｔ６の少なくとも一方を、巻き数切替スイッチ部３３４および３３５により大きくする制御を行うように構成されている。
【０１４９】
また、第４実施形態による給電装置５００のその他の構成は、第１実施形態における給電装置１００と同様である。
【０１５０】
（第４実施形態の給電装置による受電装置の検出の制御処理）
次に、図１２を参照して、第４実施形態の給電装置５００による巻き数の変更の制御処理フローについて説明する。以下の制御処理は、制御部５０５により実行される。
【０１５１】
なお、第４実施形態の給電装置５００による巻き数の変更の制御処理は、第４実施形態の給電装置５００による電力分配の制御処理（図５参照）におけるステップＳ３に相当する。なお、上記第２実施形態の給電装置３００による巻き数の変更の制御処理と同一の処理については、同じ符号（ステップ番号）を付してその説明を省略する。
【０１５２】
まず、ステップＳ３１〜３４については、第２実施形態の給電装置３００による巻き数の変更の制御処理と同一の処理が行われる。その後、ステップＳ５５に進む。
【０１５３】
ステップＳ５５において、１次巻線３３２のインピーダンスＺの合計値を一定に保った状態で、受電電圧値Ｖｒが要求電圧値Ｖｑを下回る受電装置２００のうち、要求電圧値Ｖｑから受電電圧値Ｖｒの差分値（Ｖｑ−Ｖｒ）が最も大きい受電装置２００に対応する巻線（１次巻線３３２または２次巻線３３３）の巻き数（Ｔ５またはＴ６）が大きくされる。その後、ステップＳ３１に戻る。
【０１５４】
次に、図１３を参照して、数値例を用いた第４実施形態の給電装置５００による巻き数の変更の制御処理の例について説明する。
【０１５５】
なお、第１の１次巻線は、タップ付トランス３３０ａの１次巻線３３２とし、第２の１次巻線は、タップ付トランス３３０ｂの１次巻線３３２とし、第３の１次巻線は、タップ付トランス３３０ｃの１次巻線３３２とする。また、給電アンテナ部４ａ〜４ｃの近傍に、それぞれ受電装置２００が配置され、給電が行われているものとする。給電アンテナ部４ａの近傍に配置されている受電装置２００の要求電圧値Ｖｑは３Ｖとし、給電アンテナ部４ｂの近傍に配置されている受電装置２００の要求電圧値Ｖｑは２Ｖとし、給電アンテナ部４ｃの近傍に配置されている受電装置２００の要求電圧値Ｖｑは１Ｖとする。
【０１５６】
まず、図５に示すように、受電装置２００が、ステップＳ１（図６参照）により検出される。そして、給電電圧値Ｖｔ０が、ステップＳ２（図７参照）において、６．００Ｖと設定される。
【０１５７】
そして、図１３に示すように、初期状態では、インピーダンスＺの合計値は、１５Ωとなっている。また、初期状態では、第３の１次巻線に対応する受電電圧値Ｖｒ（２Ｖ）が要求電圧値（１Ｖ）よりも大きくなっている。そして、巻き数の変更の制御処理のステップＳ３１〜Ｓ３４、および、ステップＳ５５（図１２参照）が１回実行され、第１の１次巻線のインピーダンスＺが５Ωから７Ωに変更されるとともに、第３の１次巻線のインピーダンスＺが５Ωから３Ωに変更される。これにより、第１の１次巻線の電圧値Ｖｔが２．００Ｖから２．８０Ｖ、第２の１次巻線の電圧値Ｖｔが２．００Ｖから２．５０Ｖ、第３の１次巻線の電圧値Ｖｔが２．００Ｖから１．２０Ｖに変化する。なお、巻き数変更１回目とする。また、インピーダンスＺの合計値は、１５Ωとなっている。
【０１５８】
そして、巻き数変更１回目では、第３の１次巻線に対応する受電電圧値Ｖｒ（１．２Ｖ）が要求電圧値（１Ｖ）よりも大きくなっている。そして、巻き数の変更の制御処理のステップＳ３１〜Ｓ３４、および、ステップＳ５５（図１２参照）が１回実行され、第１の１次巻線のインピーダンスＺが７Ωから８Ωに変更されるとともに、第３の１次巻線のインピーダンスＺが３Ωから２Ωに変更される。これにより、第１の１次巻線の電圧値Ｖｔが２．８０Ｖから３．２０Ｖ、第２の１次巻線の電圧値Ｖｔが２．５０Ｖから２．００Ｖ、第３の１次巻線の電圧値Ｖｔが１．２０Ｖから０．８０Ｖに変化する。また、インピーダンスＺの合計値は、１５Ωとなっている。
【０１５９】
そして、巻き数変更２回目では、第１の１次巻線に対応する受電電圧値Ｖｒ（３．２０Ｖ）が要求電圧値（３Ｖ）よりも大きくなっている。そして、巻き数の変更の制御処理のステップＳ３１〜Ｓ３４、および、ステップＳ５５（図１２参照）が１回実行され、第１の１次巻線のインピーダンスＺが８Ωから７．５Ωに変更されるとともに、第３の１次巻線のインピーダンスＺが２Ωから２．５Ωに変更される。これにより、第１の１次巻線の電圧値Ｖｔが３．２０Ｖから３．００Ｖ、第２の１次巻線の電圧値Ｖｔが２．００Ｖから２．００Ｖ、第３の１次巻線の電圧値Ｖｔが０．８０Ｖから１．００Ｖに変化する。また、インピーダンスＺの合計値は、１５Ωとなっている。
【０１６０】
そして、巻き数変更３回目では、インピーダンスＺの合計値が１５Ωを保った状態で、全ての受電電圧値Ｖｒがそれぞれの要求電圧値Ｖｑ以下になり、受電装置２００のそれぞれに適した給電が行われる。
【０１６１】
（第４実施形態の効果）
第４実施形態では、以下のような効果を得ることができる。
【０１６２】
第４実施形態では、上記のように、制御部５０５を、タップ付トランス３３０ａ〜３３０ｃの１次巻線３３２および２次巻線３３３のうち、要求電圧値Ｖｑから受電電圧値Ｖｒを差分した値（Ｖｑ−Ｖｒ）が最も大きい受電装置２００に電力を供給する給電アンテナ部４ａ（４ｂおよび４ｃ）に対応する１次巻線３３２または２次巻線３３３の少なくとも一方の巻き数を、巻き数切替スイッチ部３３４および３３５により大きくして、要求電圧値Ｖｑから受電電圧値Ｖｒを差分した値（Ｖｑ−Ｖｒ）が最も大きい受電装置２００の受電電圧値Ｖｒを大きくする制御を行うように構成する。これにより、受電電圧値Ｖｒが大きくなるように１次巻線３３２または２次巻線３３３の巻き数を変更する場合でも、要求電圧値Ｖｑから受電電圧値Ｖｒを差分した値（Ｖｑ−Ｖｒ）が最も大きい受電装置２００の受電電圧値Ｖｒが大きくなるように巻き数を変更するので、受電電圧値Ｖｒが要求電圧値Ｖｑを大きく上回るのを抑制することができる。
【０１６３】
また、第４実施形態では、上記のように、制御部５０５を、１次巻線３３２のインピーダンスＺの合計値を略一定に保った状態で、巻き数切替スイッチ部３３４および３３５を制御するように構成する。ここで、電源部２に、Ｅ級増幅回路を設ける場合には、電源部２の出力側（電力分配部３０３側）のインピーダンスが設計値とは異なる値となった場合には、零電圧スイッチングが困難になり、電力効率が低下する場合がある。すなわち、電源部２の電力分配部３０３側のインピーダンス（１次巻線３３２のインピーダンスＺの合計値）は一定であることが好ましい。そこで、第４実施形態では、制御部５０５を、１次巻線３３２のインピーダンスＺの合計値を略一定に保った状態で、巻き数切替スイッチ部３３４および３３５を制御するように構成するので、電力効率が低下するのを抑制しながら、巻き数切替スイッチ部３３４および３３５により１次巻線３３２または２次巻線３３３の巻き数を変更することができる。
【０１６４】
また、第４実施形態による給電装置５００のその他の効果は、第１実施形態における給電装置１００と同様である。
【０１６５】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１６６】
たとえば、上記第１〜第４実施形態では、受電装置として、ＰＣ、スマートフォン、および、多機能時計を用いる例を示したが、本発明はこれに限らない。たとえば、受電装置として、電気自動車などの輸送機器を用いてもよい。この場合、給電装置は、輸送機器のための給電ステーションとして構成してもよい。
【０１６７】
また、上記第２〜第４実施形態では、電力分配部を、１次巻線および２次巻線の両方の巻き数を変更可能に構成する例を示したが、本発明はこれに限られない。すなわち、電力分配部を、１次巻線または２次巻線のいずれか一方の巻き数を変更可能に構成してもよい。この場合、１次巻線または２次巻線のうち、高圧側の巻線を変更可能に構成する場合には、高圧側の巻線は、全体の巻き数が大きいので、各タップ間の電圧変化を小さく構成することが可能である。一方、１次巻線または２次巻線のうち、低圧側の巻線を変更可能に構成する場合には、低圧側の巻線は、全体の巻き数が小さいので、各タップ間の絶縁を確保するように構成することが容易である。
【０１６８】
また、上記第２〜第４実施形態では、巻き数変更部として、タップ付トランスの接続状態を切り替える巻き数切替スイッチ部を用いる例を示したが、本発明はこれに限らない。たとえば、１つの給電アンテナ部に対応する１次巻線として複数の巻線を設けて、その複数の巻線のいずれかを１次巻線として選択することにより、巻き数の大きさを変更するように構成してもよい。
【０１６９】
また、上記第１〜第４実施形態では、受電に関する情報に、受電電圧値および要求電圧値を含む例を示したが、本発明はこれに限らない。たとえば、受電に関する情報に、受電電圧値と、最大定格電圧値と、最低動作電圧値とを含んでもよい。
【０１７０】
また、上記第２実施形態および上記第４実施形態では、短絡スイッチ部を、１次巻線を短絡することが可能に設ける例を示したが、本発明はこれに限らない。すなわち、短絡スイッチ部を、２次巻線を短絡することが可能に設けるように構成してもよい。
【０１７１】
また、上記第２実施形態および上記第４実施形態では、受電が停止された受電装置の検出を、制御部により、短絡スイッチ部をオンする時点と、受電装置からアドバタイズ信号を取得する時点とを対応付けることにより行う例を示したが、本発明はこれに限らない。たとえば、受電が停止された受電装置の検出を、電力分配部にインピーダンス検出部を設けて、短絡スイッチ部をオンする時点と、インピーダンスが変化する時点とを対応付けることにより行ってもよい。
【０１７２】
また、上記第２〜第４実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１７３】
２  電源部
３、３０３、４０３  電力分配部
４ａ〜４ｃ  給電アンテナ部
５、３０５、４０５、５０５  制御部
６  通信部
３２ａ〜３２ｃ、３３２  １次巻線
３３ａ〜３３ｃ、３３３  ２次巻線
１００、３００、４００、５００  給電装置
２００ａ  ＰＣ（外部受電装置）
２００ｂ  スマートフォン（外部受電装置）
２００ｃ  多機能時計（外部受電装置）
３３４、３３５  巻き数切替スイッチ部（巻き数変更部）
３３１ａ〜３３１ｃ  短絡スイッチ部（スイッチ部）
４３１ａ〜４３１ｃ  巻線電圧検出部
【図１】
2017046417.tif 000003
【図２】
2017046417.tif 000004
【図３】
2017046417.tif 000005
【図４】
2017046417.tif 000006
【図５】
2017046417.tif 000007
【図６】
2017046417.tif 000008
【図７】
2017046417.tif 000009
【図８】
2017046417.tif 000010
【図９】
2017046417.tif 000011
【図１０】
2017046417.tif 000012
【図１１】
2017046417.tif 000013
【図１２】
2017046417.tif 000014
【図１３】
2017046417.tif 000015